(57)【要約】【課題】簡単な構造で適度な付勢力を作用させ、スライド移動完了時に衝撃を感じない、快適なスライド移動を行えるようにする。【解決手段】第１の筐体にそのスライド方向に延びる一対のレール部１３を設け、第２の筐体３にレール部１３上を摺動する一対の摺動部１２を設ける。一対の摺動部１２の間に第１の筐体と第２の筐体３とが重なった閉状態から第１の筐体を開いて操作部が現れる開状態までスライド移動するのを補助することと、開状態から閉状態にスライド移動するのを補助することとを行う捩りコイルバネ２０（第１弾性部材）を設ける。さらに、開状態から閉状態にスライド移動させるとき、及び閉状態から開状態にスライド移動させるときのスライド移動完了時点に発生する衝撃を緩和するための板バネ３５を設ける。【選択図】図１
2008205606.tif 000002
【特許請求の範囲】
【請求項１】
表面に表示部を有する第１の筐体と、
表面に操作部を有する第２の筐体と、
上記第１の筐体と第２の筐体とをスライド自在に連結するスライド機構とを備えたスライド式携帯端末であって、
上記スライド機構は、
上記第１の筐体及び第２の筐体の一方に設けられ、上記第１の筐体のスライド方向に延びる一対のレール部と、
上記第１の筐体及び第２の筐体の他方に設けられ、上記一対のレール部上を摺動する一対の摺動部と、
上記一対のレール部の間に設けられ、上記第１の筐体と第２の筐体とが重なった閉状態から上記第１の筐体を開いて上記操作部が現れる開状態までスライド移動するのを補助する第１弾性部材と、
上記第１の筐体が第２の筐体に対し閉状態から開状態にスライド移動するときのスライド移動完了時点に発生する衝撃を緩和するための第２弾性部材と、
を備えている
ことを特徴とするスライド式携帯端末。
【請求項２】
表面に表示部を有する第１の筐体と、
表面に操作部を有する第２の筐体と、
上記第１の筐体と第２の筐体とをスライド自在に連結するスライド機構とを備えたスライド式携帯端末であって、
上記スライド機構は、
上記第１の筐体及び第２の筐体の一方に設けられ、上記第１の筐体のスライド方向に延びる一対のレール部と、
上記第１の筐体及び第２の筐体の他方に設けられ、上記一対のレール部上を摺動する一対の摺動部と、
上記一対のレール部の間に設けられ、上記第１の筐体が開かれて上記操作部が現れた開状態から、再び元の閉じた閉状態にスライド移動するのを補助する第１弾性部材と、
上記第１の筐体が第２の筐体に対し開状態から閉状態にスライド移動するときのスライド移動完了時点に発生する衝撃を緩和するための第２弾性部材と、
を備えている
ことを特徴とするスライド式携帯端末。
【請求項３】
表面に表示部を有する第１の筐体と、
表面に操作部を有する第２の筐体と、
上記第１の筐体と第２の筐体とをスライド自在に連結するスライド機構とを備えたスライド式携帯端末であって、
上記スライド機構は、
上記第１の筐体及び第２の筐体の一方に設けられ、上記第１の筐体のスライド方向に延びる一対のレール部と、
上記第１の筐体及び第２の筐体の他方に設けられ、上記一対のレール部上を摺動する一対の摺動部と、
上記一対のレール部の間に設けられ、上記第１の筐体と第２の筐体とが重なった閉状態から上記第１の筐体を開いて上記操作部が現れる開状態までスライド移動するのを補助することと、開状態から閉状態にスライド移動するのを補助することとを行う第１弾性部材と、
上記第１の筐体が第２の筐体に対し開状態から閉状態にスライド移動するとき、及び閉状態から開状態にスライド移動するときのスライド移動完了時点に発生する衝撃を緩和するための第２弾性部材と、
を備えている
ことを特徴とするスライド式携帯端末。
【請求項４】
請求項１乃至３のいずれか１つに記載のスライド式携帯端末において、
上記第２弾性部材は、板バネである
ことを特徴とするスライド式携帯端末。
【請求項５】
請求項４記載のスライド式携帯端末において、
上記板バネは、上記レール部上に設けられている
ことを特徴とするスライド式携帯端末。
【請求項６】
請求項５記載のスライド式携帯端末において、
上記摺動部が上記板バネに押圧されることで上記衝撃を緩和するように構成されている
ことを特徴とするスライド式携帯端末。
【請求項７】
請求項４乃至６のいずれか１つに記載のスライド式携帯端末において、
上記板バネは、中間部にスリットが形成され、平坦な取付部と、該取付部に連結された可動部とを備え、
上記可動部が上記レール部上に配置されている
ことを特徴とするスライド式携帯端末。
【請求項８】
請求項７に記載のスライド式携帯端末において、
上記板バネの取付部は、上記レール部の近傍にリベット接合されている
ことを特徴とするスライド式携帯端末。
【請求項９】
請求項４乃至８のいずれか１つに記載のスライド式携帯端末において、
上記レール部は、上記第１の筐体に設けられ、
上記摺動部は、上記第２の筐体に設けられている
ことを特徴とするスライド式携帯端末。
【請求項１０】
請求項４乃至９のいずれか１つに記載のスライド式携帯端末において、
上記板バネは、リン青銅を材料としている
ことを特徴とするスライド式携帯端末。
【請求項１１】
請求項４乃至９のいずれか１つに記載のスライド式携帯端末において、
上記板バネは、ステンレスを材料としている
ことを特徴とするスライド式携帯端末。
【請求項１２】
請求項３に記載のスライド式携帯端末において、
上記第２弾性部材は、上記一対のレール部の一方の上に間隔をあけて一対設けられている
ことを特徴とするスライド式携帯端末。
【請求項１３】
請求項３に記載のスライド式携帯端末において、
上記第２弾性部材は、上記一対のレール部にそれぞれ上下に間隔をあけて１つずつ設けられている
ことを特徴とするスライド式携帯端末。
【請求項１４】
請求項１２又は１３に記載のスライド式携帯端末において、
上記第１の筐体の全体のスライド位置の中間位置において、上記第１弾性部材のねじり角度が最小となり、最も力が蓄えられる
ことを特徴とするスライド式携帯端末。
【請求項１５】
携帯電話機である
ことを特徴とする請求項１乃至１４のいずれか１つに記載のスライド式携帯端末。
【発明の詳細な説明】
【技術分野】
【０００１】
本発明は、スライド式携帯端末に関し、特にそのスライド機構に関する。
【背景技術】
【０００２】
様々な開閉操作可能な携帯電話機が知られているが、その１つに、表示部を有する第１の筐体と、操作部を有する第２の筐体とで構成され、閉状態では、第１の筐体が第２の筐体の上に重なった状態で携帯され、開状態では、第１の筐体が第２の筐体上をレールを介してスライド移動し、操作部が現れて操作が可能になるものがある。このスライド操作においては、手動である程度スライド移動させると、内部に設けた弾性部材によって自然にスライド移動完了位置までスライド移動して開状態になったり、反対にスライド移動完了位置から手動である程度閉方向へスライド移動させると自然に閉状態になったりする。
【０００３】
特許文献１では、正面側ユニットと裏面側ユニットとがスライド係合手段により結合されたスライド構造の携帯電話機において、表裏の両ユニットを常時展伸方向に付勢する付勢手段と、正面側ユニットと裏面側ユニットとを互いに重なった縮退状態に係止するとともに所定操作により係止を解除可能な係止手段とを具備したものが開示されている。
【０００４】
特許文献２は、下部にはスライドレールが設けられ、上部には該スライドレールに適合する対応レールが設けられ、下部には支持管によって囲まれたバネを設けたものが知られている。上部にはピストンが設けられ、電話機が運搬位置へ滑動したとき、ピストンが支持管の内側へ押され、このピストンがバネをその長軸方向へ共に押すように該ピストンが配置されている。この携帯電話機では、運動速度に影響を与える唯一のファクタとして、バネが、移動電話機の運搬位置から操作位置への開放を自由に調節できるとしても、その開放運動は極端なものになりうる。そこで、使用上の快適さという観点から、この開放運動を和らげる緩和装置を設けている。この緩和装置は、回動可能に上部に取り付けられた歯車、前記歯車の軸を囲むハウジング、及び下部に取り付けられたギアラックからなる。この緩和は、歯車とギアラックとを介して上部と下部へ伝えられ、開放運動全体を和らげるように構成されている。
【特許文献１】特開２００３−１７９６７８号公報
【特許文献２】特開平１１−３３１３３２号公報
【発明の開示】
【発明が解決しようとする課題】
【０００５】
上記特許文献１のスライド式携帯電話機では、スライド移動を補助するために引っ張りバネよりなる付勢手段を用いているが、強い付勢手段を用いてスライド移動させると、スライド移動完了時に大きな衝撃がある。一方、弱い付勢手段を設けると、付勢力が弱くスライド移動が不完全になることがある。
【０００６】
一方、上記特許文献２の発明では、緩和装置により、強い付勢手段を設けたときの衝撃が緩和されるものの、構造が複雑で部品点数が多く、全体のコンパクト化を図ることができないという問題がある。
【０００７】
本発明は、かかる点に鑑みてなされたものであり、その目的とするところは、簡単な構造で適度な付勢力を作用させ、スライド移動完了時に衝撃を感じない、快適なスライド移動を行えるようにすることにある。
【課題を解決するための手段】
【０００８】
上記目的を達成するために、本発明では、第１の筐体のスライド移動を補助する第１弾性部材の他に、スライド移動完了時点に発生する衝撃を緩和するための第２弾性部材を設けた。
【０００９】
具体的には、第１の発明では、表面に表示部を有する第１の筐体と、
表面に操作部を有する第２の筐体と、
上記第１の筐体と第２の筐体とをスライド自在に連結するスライド機構とを備えたスライド式携帯端末を対象とする。
【００１０】
上記スライド機構は、
上記第１の筐体及び第２の筐体の一方に設けられ、上記第１の筐体のスライド方向に延びる一対のレール部と、
上記第１の筐体及び第２の筐体の他方に設けられ、上記一対のレール部上を摺動する一対の摺動部と、
上記一対のレール部の間に設けられ、上記第１の筐体と第２の筐体とが重なった閉状態から上記第１の筐体を開いて上記操作部が現れる開状態までスライド移動するのを補助する第１弾性部材と、
上記第１の筐体が第２の筐体に対し閉状態から開状態にスライド移動するときのスライド移動完了時点に発生する衝撃を緩和するための第２弾性部材と、
を備えている。
【００１１】
上記の構成によると、第１の筐体を開いて操作部が現れるように閉状態から開状態へスライド移動させるときに、摺動部がレール部上を移動すると共に、第１弾性部材によってスライド移動が補助されるが、この第１弾性部材の付勢力を大きくしても、第２弾性部材によって、スライド移動完了時点に発生する衝撃が緩和される。このように、第２弾性部材を設けるだけという簡単な構成でスライド操作時のショックが軽減される。
【００１２】
第２の発明では、表面に表示部を有する第１の筐体と、
表面に操作部を有する第２の筐体と、
上記第１の筐体と第２の筐体とをスライド自在に連結するスライド機構とを備えたスライド式携帯端末を対象とする。
【００１３】
上記スライド機構は、
上記第１の筐体及び第２の筐体の一方に設けられ、上記第１の筐体のスライド方向に延びる一対のレール部と、
上記第１の筐体及び第２の筐体の他方に設けられ、上記一対のレール部上を摺動する一対の摺動部と、
上記一対のレール部の間に設けられ、上記第１の筐体が開かれて上記操作部が現れた開状態から閉状態にスライド移動するのを補助する第１弾性部材と、
上記第１の筐体が第２の筐体に対し開状態から閉状態にスライド移動させるときのスライド移動完了時点に発生する衝撃を緩和するための第２弾性部材と、
を備えている。
【００１４】
上記の構成によると、第１の筐体が開かれて操作部が現れた開状態から閉状態にスライド移動させるときに、摺動部がレール部上を移動すると共に、第１弾性部材によってスライド移動が補助されるが、この第１弾性部材の付勢力を大きくしても、第２弾性部材によって、スライド移動完了時点に発生する衝撃が緩和される。このように、第２弾性部材を設けるだけという簡単な構成でスライド操作時のショックが軽減される。
【００１５】
第３の発明では、表面に表示部を有する第１の筐体と、
表面に操作部を有する第２の筐体と、
上記第１の筐体と第２の筐体とをスライド自在に連結するスライド機構とを備えたスライド式携帯端末を対象とする。
【００１６】
上記スライド機構は、
上記第１の筐体及び第２の筐体の一方に設けられ、上記第１の筐体のスライド方向に延びる一対のレール部と、
上記第１の筐体及び第２の筐体の他方に設けられ、上記一対のレール部上を摺動する一対の摺動部と、
上記一対のレール部の間に設けられ、上記第１の筐体と第２の筐体とが重なった閉状態から上記第１の筐体を開いて上記操作部が現れる開状態までスライド移動するのを補助することと、開状態から閉状態にスライド移動するのを補助することとを行う第１弾性部材と、
上記第１の筐体が第２の筐体に対し開状態から閉状態にスライド移動させるとき、及び閉状態から開状態にスライド移動させるときのスライド移動完了時点に発生する衝撃を緩和するための第２弾性部材と、
を備えている。
【００１７】
上記の構成によると、第１の筐体が第２の筐体に対し開状態から閉状態にスライド移動させるとき、及び閉状態から開状態にスライド移動させるときのいずれの場合にも、摺動部がレール部上を移動すると共に、第１弾性部材によってスライド移動が補助されるが、この第１弾性部材の付勢力を大きくしても、第２弾性部材によって、いずれの場合もスライド移動完了時点に発生する衝撃が緩和される。このように、第２弾性部材を設けるだけという簡単な構成でスライド操作時のショックが軽減される。
【００１８】
第４の発明では、第１乃至第３のいずれか１つの発明において、
上記第２弾性部材は、板バネとする。
【００１９】
上記の構成によると、簡単かつ薄い構成でスライド移動完了時点に発生する衝撃が緩和される。
【００２０】
第５の発明では、第４の発明において、
上記板バネは、上記レール部上に設けられている。
【００２１】
上記の構成によると、第１の筐体をスライドさせた際にレール部上の板バネに摺動部が当接してスライド移動完了時点に発生する衝撃が緩和される。
【００２２】
第６の発明では、第５の発明において、
上記摺動部が上記板バネに押圧されることで上記衝撃を緩和するように構成されている。
【００２３】
上記の構成によると、第１の筐体をスライドさせた際にレール部上の板バネに摺動部が押圧されるようにしてスライド移動完了時点に発生する衝撃が緩和される。
【００２４】
第７の発明では、第４乃至第６のいずれか１つの発明において、
上記板バネは、中間部にスリットが形成され、平坦な取付部と、該取付部に連結された可動部とを備え、
上記可動部が上記レール部上に配置されている。
【００２５】
上記の構成によると、板バネの取付部をレール部近傍の適切な位置に取り付け、第１の筐体を移動させたときに、摺動部が可動部の下に潜り込むことで第１弾性部材に付勢された第１の筐体のスライド移動が緩やかに減速して停止する。停止状態では、可動部が摺動部を押さえているので、第１の筐体がぐらつかない。
【００２６】
第８の発明では、第７の発明において、
上記板バネの取付部は、上記レール部の近傍にリベット接合されている。
【００２７】
上記の構成によると、板バネが容易にレール部の近傍に接合されると共に、ボルト締結のように接合部の厚さが厚くならない。
【００２８】
第９の発明では、第４乃至第８のいずれか１つの発明において、
上記レール部は、上記第１の筐体に設けられ、
上記摺動部は、上記第２の筐体に設けられている。
【００２９】
上記の構成によると、板バネをレール部のある第１の筐体に設けることで、第１の筐体と第２の筐体との位置関係の変化に合わせ、そのスライド移動完了時点において、第２弾性部材の緩和作用が与えられる。
【００３０】
第１０の発明では、第４乃至第９のいずれか１つの発明において、
上記板バネは、リン青銅を材料としている。
【００３１】
上記の構成によると、リン青銅は、バネ性に優れ、強度が高く、曲げ、絞り加工性がよく、耐摩耗性がよく、化学的腐食に強いという、非鉄金属素材としての特性を多数兼ね備え、しかもそれらが各々優れていることから、使い易く適正な価格レベルの板バネが得られる。
【００３２】
第１１の発明では、第４乃至第９のいずれか１つの発明において、
上記板バネは、ステンレスを材料としている。
【００３３】
上記の構成によると、錆びにくく耐久性の高い板バネが得られる。
【００３４】
第１２の発明では、第３の発明において、
上記第２弾性部材は、上記一対のレール部の一方の上に間隔をあけて一対設けられている。
【００３５】
上記の構成によると、第２弾性部材を一方のレール部上に上下に間隔をあけて設けることで、第１の筐体が第２の筐体に対し開状態から閉状態にスライド移動させるとき、及び閉状態から開状態にスライド移動させるときのスライド移動完了時点に発生する衝撃が緩和される。また、他方のレール部の近傍のスペースが有効に利用できる。
【００３６】
第１３の発明では、第３の発明において、
上記第２弾性部材は、上記一対のレール部にそれぞれ上下に間隔をあけて１つずつ設けられている。
【００３７】
上記の構成によると、第２弾性部材を一対のレール部上にそれぞれ１つずつ上下に間隔をあけて設けることで、第１の筐体が第２の筐体に対し開状態から閉状態にスライド移動させるとき、及び閉状態から開状態にスライド移動させるときのスライド移動完了時点に発生する衝撃が緩和される。また、左右に配置することで、力が均等に付加されてバランスがよい。
【００３８】
第１４の発明では、第１２又は第１３の発明において、
上記第１の筐体の全体のスライド位置の中間位置において、上記第１弾性部材のねじり角度が最小となり、最も力が蓄えられる。
【００３９】
上記の構成によると、第１の筐体の全体のスライド位置の中間位置において第１弾性部材の力が最も蓄えられ、中間位置からずれると、その力を解放しようとすることで、第１の筐体が第２の筐体に対し開状態から閉状態にスライド移動させるとき、及び閉状態から開状態にスライド移動させるときのいずれにおいても、第１弾性部材によって補助される。このため、ユーザは片手のみでいずれの方向へも容易にスライドが可能である。
【００４０】
第１５の発明では、第１乃至第１４のいずれか１つの発明において、
携帯端末は、携帯電話機とする。
【００４１】
上記の構成によると、スライド移動に伴う衝撃が緩和された操作性のよい携帯電話機が得られる。
【発明の効果】
【００４２】
以上説明したように、本発明によると、第１の筐体がスライド移動するのを補助する第１弾性部材と、スライド移動完了時点に発生する衝撃を緩和するための第２弾性部材とを設けたことにより、簡単な構造で適度な付勢力を作用させ、スライド移動完了時に衝撃を感じない、快適なスライド移動を行えると共に、コンパクトなスライド式携帯端末が得られる。
【発明を実施するための最良の形態】
【００４３】
以下、本発明の実施形態を図面に基づいて説明する。
【００４４】
図２は、本発明の実施形態に係るスライド式携帯電話機１の閉状態を現す斜視図である。図３は、本発明の実施形態に係るスライド式携帯電話機１の閉状態から開状態にスライドし始めた様子を示す斜視図である。図４は、本発明の実施形態に係るスライド式携帯電話機１が開スライド完了前の状態を示す斜視図である。図５は、本発明の実施形態に係るスライド式携帯電話機１の全開した状態を示す斜視図である。
【００４５】
スライド式携帯電話機１は、上下方向に長い第１の筐体２と第２の筐体３とを備えている。第１の筐体２と第２の筐体３とは、後述するスライド機構４により上下方向にスライド自在に連結されている。
【００４６】
第１の筐体２は、その表面に上下方向に長い縦長の表示部５を有し、その表示部５の上側に受話部（図示せず）が設けられている。表示部５は、液晶ディスプレイでも、有機ＥＬディスプレイでもよい。第２の筐体３は、その表面の中央から下側の部分に操作部７を有している。この操作部７には、例えばファンクションボタン８と、番号ボタン９とが設けられている。操作部７の下側に受話部（図示せず）が設けられている。なお、第１の筐体２と第２の筐体３とは、フレキシブル基板（図示せず）によって電気的に接続されている。
【００４７】
図１にスライド式携帯電話機１の摺動部１２及び板バネ３５を拡大して示す。図６にスライド式携帯電話機１の閉状態にあるときの摺動部１２と捩りコイルバネ２０と板バネ３５との位置関係を示す。図７にスライド式携帯電話機の閉状態から開状態にスライドし始めたとき、図８にスライド式携帯電話機１の開スライド完了前、図９にスライド式携帯電話機１が開状態にある状態をそれぞれ示す。
【００４８】
上記第２の筐体３表面上側の左右端部には、上下方向に延びるように一対の摺動部１２が設けられている。図１５にも示すように、一対の摺動部１２は、第２の筐体３の左右中央側から、外側に向かって凹むように設けた溝形状に形成されている。一方、第１の筐体２の裏面側の裏側キャビネット２ａには、この一対の摺動部１２内に挿入される上下方向に長いレール部１３が左右方向に突出するように形成されている。摺動部１２は、レール部１３に比べて上下に短いものとなっていて、一対の摺動部１２がレール部１３を左右から挟み込むように配置することで、摺動部１２がレール部１３上を上下に摺動し、第１の筐体２が安定して第２の筐体３上をスライド移動するようになっている。
【００４９】
上記一対の摺動部１２の間には、第１弾性部材としての捩りコイルバネ２０が設けられている。捩りコイルバネ２０は、第１の筐体２が第２の筐体３の上端側へスライド移動するのを補助すると共に、スライド後に元の位置に（下方へ）スライド移動するのを補助するものとなっている。捩りコイルバネ２０は、第１の筐体２の全体のスライド経路の中間位置において、上記捩りコイルバネ２０のねじり角度が最小となり、最も力が蓄えられるように配置されている。なお、図６乃至図９では、見易くするために、第２の筐体３は摺動部１２のみを示し、他の部分は二点鎖線で、捩りコイルバネ２０は実線で描いている。
【００５０】
図１０に示すように、上記捩りコイルバネ２０は、バネ用ステンレス鋼線（例えば、ＳＵＳ３０４ＷＰＡやＳＵＳ３０４ＷＰＢ）で構成されている。このため、耐腐食性に優れ、耐久性が向上している。上記捩りコイルバネ２０は、第１及び第２コイル部２１，２２と、第１乃至第３直線部２３，２４，２５とを有している。第１コイル部２１の一端は、第１直線部２３に連続すると共に、他端は第２直線部２４に連続している。第２直線部２４の他端は、第２コイル部２２に連続し、第２コイル部２２の他端は、上記第３直線部２５に連続している。本実施形態では、第１直線部２３は、第３直線部２５よりも長いものとなっている。
【００５１】
上記第１及び第２コイル部２１，２２は、その最大径部２１ａ，２２ａと第２直線部２４とがそれぞれ同一平面内に配置されている。第１及び第２コイル部２１，２２の最小径部２１ｂ，２２ｂと最大径部２１ａ，２２ａとは、上記第２直線部２４と同一平面内に配置され、かつ、第１コイル部２１の最小径部２１ｂから第１直線部２３へ、第２コイル部２２の最小径部２２ｂから第３直線部２５へ、それぞれ上記同一平面から離れる同じ方向（表面側）へ突出して連続している。このように、第１及び第２コイル部２１，２２から第１又は第３直線部２３，２５へ連続する部分が、第１及び第２コイル部２１，２２から同じ方向に突出しているので、全体の高さが抑えられ、狭いスペースでも配置が可能となっている。
【００５２】
上記第１直線部２３の先端には、第１環状部２６が形成され、第３直線部２５の先端には、第２環状部２７が形成されている。表面から見て第１の筐体２の側面近傍、すなわち、裏側キャビネット２ａ裏面側の上下方向中央部左側には、第１バネ固定ピン２９が第２の筐体３側へ突出するように設けられている。同様に表面から見て第２の筐体３の反対側側面近傍、すなわち、表面側の上下方向中央よりも上側かつ右側には、第２バネ固定ピン３０が第１の筐体２側へ突出するように設けられている。第１環状部２６は、第１バネ固定ピン２９に回転自在に位置決めされている。同様に第２環状部２７は、第２バネ固定ピン３０に回転自在に位置決めされている。
【００５３】
捩りコイルバネ２０は、第１及び第３直線部２３，２５に力を加えると捩り角度が変わり、第１及び第２コイル部２１，２２によって捩り方向に伸縮力が発生する。２つのコイル部２１，２２を設けることで、１つのコイル部しか有さないものに比べ、それぞれのコイル部の捩り角度は１／２ですむ。このため、同等の捩り角を発生させるために１つのコイル部による場合に比べてコイル部２１，２２のサイズが小さくなっている。
【００５４】
そして、本発明の特徴として、第１の筐体２の右側側面に上下に間隔をあけて一対の第２弾性部材としての板バネ３５が設けられている。図１６に示すように、板バネ３５は、バネ性を持たすように中間部にスリット３５ａが形成されて左右中間部分で２つに分割され、平坦な取付部３５ｂ側に２つの貫通孔３５ｃを有し、取付部３５ｂの一端側が可動部３５ｄに連結されている。可動部３５ｄは、先端側が下方へ傾斜するように若干折り曲げられている。板バネ３５は、リン青銅よりなる。リン青銅は、バネ性に優れ、強度が高く、曲げ、絞り加工性がよく、耐摩耗性がよく、化学的腐食に強いという、非鉄金属素材としての特性を多数兼ね備え、しかもそれらが各々優れていることから、使い易く適正な価格レベルの板バネ３５が得られる。なお、板バネ３５は、ステンレス製としてもよい。このことで、錆びにくく耐久性の高い板バネ３５が得られる。
【００５５】
図１５に示すように、第１の筐体２におけるレール部１３近傍（左右内側）には、上記貫通孔３５ｃに対応するように取付孔１３ａが形成されている。この取付孔１３ａと貫通孔３５ｃとにリベット３６を挿入して先端をつぶすことで、該リベット３６により、板バネ３５が第１の筐体２に接合されている。図１０（ｂ）に示すように、このスライド移動に伴って板バネ３５が移動して摺動部１２が、板バネ３５の可動部３５ｄに入り込んで押圧されるようになっている。このことで、開状態から閉状態にスライド移動させるとき、及び閉状態から開状態にスライド移動させるときのスライド移動完了時点に発生する衝撃を緩和するようになっている。
【００５６】
上記スライド機構４は、一対の摺動部１２と一対のレール部１３と捩りコイルバネ２０と板バネ３５とで構成されている。
【００５７】
−作用−
次に、本実施形態に係るスライド式携帯電話機１のスライド操作について図面を用いて説明する。
【００５８】
図１１〜図１４に、スライド式携帯電話機が閉状態から開状態にスライド移動するときの摺動部１２と板バネ３５との位置関係をそれぞれ示す。図１７〜図２０に、スライド式携帯電話機が閉状態から開状態にスライド移動するときの摺動部１２と板バネ３５との位置関係をそれぞれ示す。
【００５９】
まず、図２，図６，図１１及び図１７に示すように、待機状態（閉状態）では、第１の筐体２が第２の筐体３と重合した状態にある。捩りコイルバネ２０の形状は、平面視で２つのコイル部２１，２２が左右のほぼ同じ高さに並んでいる。摺動部１２が上側の板バネ３５の可動部３５ｄの全体を押し上げるように可動部３５ｄの下方に入り込んで最も強い力で押圧されているので、第１の筐体２はぐらつかない。
【００６０】
次いで、図３，図７，図１２及び図１８に示すように、第１の筐体２を上方に若干スライドさせる。このとき、第１の筐体２は、第２の筐体３に設けた摺動部１２に沿って上方へ移動する。第２環状部２７は定位置にあり、第２バネ固定ピン３０を中心に回転すると共に、第１環状部２６が第１バネ固定ピン２９を中心に回転しながら上方へ移動する。捩りコイルバネ２０の形状は、第１コイル部２１が第２コイル部２２よりも上方に位置し、全体として山形となる。捩りコイルバネ２０の捩り角は、自由形状よりも縮まるので、その付勢力に抗して第１の筐体２をスライド移動させる。上側の板バネ３５の可動部３５ｄが摺動部１２に対して移動し、摺動部１２が可動部３５ｄを少しだけ持ち上げた状態にある。このため、板バネ３５の付勢力は弱くなっている。
【００６１】
次いで、図示は省略するが、さらに第１の筐体２を上方へ移動させると、操作部７が徐々に現れ、第１の筐体２のスライド移動の中間位置に到達する。捩りコイルバネ２０の形状は、第１コイル部２１がさらに上方かつ右側へ移動する。このとき、最も捩りコイルバネ２０の捩り角度が小さくなり、弾性エネルギーが最も蓄えられる。板バネ３５は、完全に摺動部１２から離脱するので、板バネ３５の付勢力は一切加わっていない。
【００６２】
次いで、図４，図８，図１３及び図１９に示すように、第１の筐体２が中間位置を超えると、圧縮されていた捩りコイルバネ２０が元に戻ろうとするので、第１の筐体２が下方へ付勢されて自動的にスライド移動する。このとき、下側の板バネ３５の可動部３５ｄの中間位置まで摺動部１２が入り込み、可動部３５ｄを少しだけ持ち上げる。このため、捩りコイルバネ２０によって勢いよくスライド移動している第１の筐体２のスピードは弱められる。
【００６３】
次いで、さらに第１の筐体２は上方へ移動し、図５，図９，図１４及び図２０に示すように、第１の筐体２が第２の筐体３の上端側に移動し、操作部７が完全に現れて操作部７の操作が可能になり、また、通話が可能となる。捩りコイルバネ２０の形状は、第１コイル部２１が第２コイル部２２の上側に移動し、第１及び第２コイル部２１，２２が右端に位置する。このとき、摺動部１２は、板バネ３５の可動部３５ｄを完全に押し上げた状態まで入り込んで最も強い力で押圧される。このため、第１の筐体２は、衝撃を緩和されながら停止されると共に、開状態でぐらつかない。
【００６４】
このように、閉状態時にバネが強く効き、開状態になるに従ってバネが弱まり、開完了時には再びバネが強く効くようになるため、開時と閉時の衝撃が緩和されると共に、開状態及び閉状態において第１の筐体２がぐらつかない。
【００６５】
逆に第１の筐体２を第２の筐体３と重合させるときには、上記と逆の操作となる。
【００６６】
このように、捩りコイルバネ２０の付勢力により、第１の筐体２を手で少しスライドして離すとスライド前の状態に戻ろうとするが、手で多量にスライドして中間位置を過ぎて手を離すと第１の筐体２がスライド移動する。すなわち、捩りコイルバネ２０が第１の筐体２のスライド移動をいずれの方向にも補助するので、スライド操作がスムーズにワンタッチで行われる。
【００６７】
開状態から閉状態へスライド移動させるときと、閉状態から開状態へスライド移動させるときとのいずれの場合にも、捩りコイルバネ２０によってスライド移動が補助されるが、この捩りコイルバネ２０の付勢力を大きくしても、板バネ３５によって、いずれの場合もスライド移動完了時点に発生する衝撃が緩和される。このように、板バネ３５を設けるだけという簡単な構成でスライド操作時のショックが軽減される。
【００６８】
板バネ３５を第１の筐体２に設けることで、第２の筐体３のスライド移動に合わせてそのスライド移動完了時点において、確実に板バネ３５の緩和作用が与えられる。
【００６９】
板バネ３５を間隔をあけて設けることで、開状態から閉状態にスライド移動させるとき、及び閉状態から開状態にスライド移動させるときのスライド移動完了時点に発生する衝撃が緩和される。また、板バネ３５を右側側面にまとめて設けることで、左側側面のスペースが有効に利用される。
【００７０】
第１の筐体２をスライドさせた際にレール部１３上の板バネ３５の可動部３５ｄに摺動部１２が押圧されるようにしてスライド移動完了時点に発生する衝撃が緩和される。
【００７１】
−実施形態の効果−
したがって、本実施形態に係るスライド式携帯電話機１によると、第１の筐体２がスライド移動するのを補助する捩りコイルバネ２０と、スライド移動完了時点に発生する衝撃を緩和するための板バネ３５とを設けたことにより、簡単な構造で適度な付勢力を作用させ、スライド移動完了時に衝撃を感じない、快適なスライド移動を行えると共に、コンパクトなスライド式携帯電話機１が得られる。
【００７２】
また、第２弾性部材を板バネ３５で構成したことにより、簡単かつ薄い構成でスライド移動完了時点に発生する衝撃を緩和することができるので、コンパクトで操作性のよいスライド式携帯電話機１が得られる。
【００７３】
さらに、第１の筐体２の全体のスライド位置の中間位置において捩りコイルバネ２０のねじり角度を最小として最も力を蓄えるようにし、いずれの方向にも第１の筐体２のスライド移動を補助するようにしている。このため、第１の筐体２のスライド操作をいずれの方向にもワンタッチで行うことができる。
【００７４】
（その他の実施形態）
本発明は、上記実施形態について、以下のような構成としてもよい。
【００７５】
すなわち、上記実施形態では、板バネ３５は、第１の筐体２の右側側面にのみそれぞれ上下に間隔をあけて設けたが、逆に左側側面のみに設けてもよい。また、左右両方の側面にそれぞれ上下に間隔をあけて１つずつ設けてもよい。このように左右に配置することで、力が均等に付加されてバランスがよくなる。
【００７６】
また、摺動部１２を第１の筐体２側に設け、その摺動部１２を第２の筐体３に設けたレール部１３に沿ってスライド移動させるようにしてもよい。この場合には、第２の筐体３側に板バネ３５を設け、その可動部３５ｄで摺動部１２を押圧させるようにするとよい。
【００７７】
また、捩りコイルバネ２０を、閉状態から開状態にスライド移動させることのみを補助するように設け、第１の筐体２の上側にのみ設けた板バネ３５によってスライド移動完了時点に発生する衝撃を緩和するようにしてもよい。この場合、捩りコイルバネ２０によってスライド移動が補助されるが、この捩りコイルバネ２０の付勢力を大きくしても、板バネ３５によって、スライド移動完了時点に発生する衝撃が緩和される。また、逆に捩りコイルバネ２０を、開状態から閉状態にスライド移動させることのみを補助するように設け、第１の筐体２の下側にのみ設けた板バネ３５によってスライド移動完了時点に発生する衝撃を緩和するようにしてもよい。この場合、開状態から閉状態へスライド移動させるときに、捩りコイルバネ２０によってスライド移動が補助されるが、この捩りコイルバネ２０の付勢力を大きくしても、板バネ３５によって、スライド移動完了時点に発生する衝撃が緩和される。このように、いずれの場合も、板バネ３５を設けるだけという簡単な構成でスライド操作時のショックが軽減される。
【００７８】
図示しないが、第１の筐体２の表面下側に第２の操作部を設けてもよい。このことで、第１の筐体２と第２の筐体３とを重合させた状態で第２の操作部の操作が可能となり、表示部５を横長状態にして第２の操作部の操作も可能となる。
【００７９】
上記実施形態では、スライド式携帯電話機１は、上下方向に長い第１の筐体２と第２の筐体３とを備えるものとしたが、左右方向に長い第１の筐体２と第２の筐体３とを備えるものとしてもよい。この場合には、表示部は、横長のものとなる。
【００８０】
上記実施形態では、スライド式携帯端末は、スライド式携帯電話機１としたが、ＰＨＳ、ＰＤＡ、ＰＣ、モバイルツール、電子辞書、電卓、複写機などであってもよい。
【００８１】
なお、以上の実施形態は、本質的に好ましい例示であって、本発明、その適用物や用途の範囲を制限することを意図するものではない。
【図面の簡単な説明】
【００８２】
【図１】スライド式携帯電話機に係るレール部と摺動部と板バネとを拡大して示す平面図である。
【図２】本発明の実施形態に係るスライド式携帯電話機の閉状態を現す斜視図である。
【図３】本発明の実施形態に係るスライド式携帯電話機の閉状態から開状態にスライドし始めた様子を示す斜視図である。
【図４】本発明の実施形態に係るスライド式携帯電話機が開スライド完了前の状態を示す斜視図である。
【図５】本発明の実施形態に係るスライド式携帯電話機の開状態を示す斜視図である。
【図６】スライド式携帯電話機の閉状態にあるときの摺動部と捩りコイルバネと板バネとの位置関係を示す斜視図である。
【図７】スライド式携帯電話機の閉状態から開状態にスライドし始めたときの図６相当図である。
【図８】スライド式携帯電話機が開スライド完了前の状態を示す図６相当図である。
【図９】スライド式携帯電話機が開状態にある様子を示す図６相当図である。
【図１０】捩りコイルバネの斜視図である。
【図１１】スライド式携帯電話機の閉状態にあるときの摺動部と板バネとの位置関係を示す斜視図である。
【図１２】スライド式携帯電話機の閉状態から開状態にスライドし始めたの様子を示す図１１相当図である。
【図１３】スライド式携帯電話機が開スライド完了前の状態を示す図１１相当図である。
【図１４】第１の筐体と第２の筐体とが開状態にある様子を示す図１１相当図である。
【図１５】図１のXV−XV線断面図を示し、（ａ）が摺動部が板バネの下方に入り込んでいない状態を示し、（ｂ）が摺動部が板バネの下方に入り込んだ状態を示す。
【図１６】板バネの斜視図である。
【図１７】スライド式携帯電話機の閉状態にあるときの摺動部と板バネとの位置関係を示す側面図である。
【図１８】スライド式携帯電話機の閉状態から開状態にスライドし始めたの様子を示す図１７相当図である。
【図１９】スライド式携帯電話機が開スライド完了前の状態を示す図１７相当図である。
【図２０】第１の筐体と第２の筐体とが開状態にある様子を示す図１７相当図である。
【符号の説明】
【００８３】
１      スライド式携帯電話機（スライド式携帯機器）
２      第１の筐体
２ａ    裏側キャビネット
３      第２の筐体
４      スライド機構
５      表示部
７      操作部
１２      レール部
１３      摺動部
２０      捩りコイルバネ（第１弾性部材）
３５      板バネ（第２弾性部材）
３５ｂ    取付部
３５ｃ    貫通孔
３５ｄ    可動部
３６      リベット
【図１】
2008205606.tif 000003
【図２】
2008205606.tif 000004
【図３】
2008205606.tif 000005
【図４】
2008205606.tif 000006
【図５】
2008205606.tif 000007
【図６】
2008205606.tif 000008
【図７】
2008205606.tif 000009
【図８】
2008205606.tif 000010
【図９】
2008205606.tif 000011
【図１０】
2008205606.tif 000012
【図１１】
2008205606.tif 000013
【図１２】
2008205606.tif 000014
【図１３】
2008205606.tif 000015
【図１４】
2008205606.tif 000016
【図１５】
2008205606.tif 000017
【図１６】
2008205606.tif 000018
【図１７】
2008205606.tif 000019
【図１８】
2008205606.tif 000020
【図１９】
2008205606.tif 000021
【図２０】
2008205606.tif 000022